(57)【特許請求の範囲】
【請求項１】
マットレスを保持する床フレームと、該床フレームに固定された主脚を有したベッド本体と、該ベッド本体を一端で保持する２本の保持部材が互いに直交し且つ回動自在の結合部を有した昇降リンクと、該昇降リンクを動作させる伸縮アクチュエータと、前記保持部材の他端を保持する補助脚部とを備えたベッドにおいて、
前記伸縮アクチュエータと反対側の前記保持部材と床との間に配設される第１スペーサを備えたことを特徴とするベッド。
【請求項２】
前記ベッド本体の捩じれを防止する横方向部材を有し、該横方向部材に取り付けられ前記横方向部材の中央部が最高となる第２スペーサを備えたことを特徴とする請求項１記載のベッド。
【発明の詳細な説明】
【０００１】
【産業上の利用分野】
本発明は、ホテル等の宿泊施設に設置して好適なベッドに関する。
【０００２】
【従来の技術】
ホテル等の宿泊施設の業務用ベッドに必要なベッドメーキングは、ベッド上のマットレスの縁にシーツを押し込むものであるが、作業者にとっては、多数台を限られた時間内に行うことが必要とされるため、極めて負担の多い作業となっている。特に、腰をかがめた作業となるため、腰痛に苦しむ者が多く、問題となっている。そこで、ベッド本体にガススプリング等の迅速に伸縮可能な伸縮アクチュエータを備え、この伸縮アクチュエータによって平行リンク等の昇降リンクを駆動し、昇降リンクに固定した昇降ベースを下限位置（通常使用位置）から上限位置（ベッドメーキングを行い易い位置）に上昇させ保持させるベッドを用いることが考えられる（特開平５−１７６８２９号）。しかしながら、この技術では、ベッド本体の上側に設置された昇降ベースを上下させるものであるため、昇降ベースの上昇時は、ベッド本体とマットレスが離れており、マットレスのずれに気付かないという欠点がある。この欠点を解消するため特願平５−１７７０７９号では、床フレームと、この床フレームに固定された主脚を有するベッド本体とこのベッド本体を保持した昇降リンクと昇降リンクを動作させる伸縮アクチュエータとからなる昇降手段と、昇降リンクの一端に保持された補助脚部とをそなえ、マットレスとベッド本体を共に上昇させるようにして、ベッド本体上でのマットレスの位置ずれを容易に判断できるものである。図５は、この技術のベッドの断面図である。同図において、１００は主脚１０６を有したベッド本体、１０１、１０２は保持部材であって、昇降リンクを構成している。１０３は補助脚部であり、ベッド本体１００と平行に設けられ、１０４、１０５は昇降リンクを動作させる伸縮アクチュエータである。
【０００３】
【発明が解決しようとする課題】
上記した従来の技術では、昇降リンクの片方にだけ伸縮アクチュエータが備えられていて、保持部材の弾性変形及び各部材の加工精度のばらつきにより、ベッド本体の伸縮アクチュエータ側の主脚の着地が不完全となっていた。このため、主脚と床との当接による異音が生じていた。
【０００４】
本発明は、着地を完全に行い異音を防止することを技術的課題とする。
【０００５】
【課題を解決するための手段】
上記した技術的課題を解決するため請求項１の発明において講じた技術的手段は、  マットレスを保持する床フレームと、床フレームに固定された主脚を有したベッド本体と、ベッド本体を一端で保持する２本の保持部材が互いに直交し且つ回動自在の結合部を有した昇降リンクと、昇降リンクを動作させる伸縮アクチュエータと、保持部材の他端を保持する補助脚部とを備えたベッドにおいて、伸縮アクチュエータと反対側の保持部材と床との間に配設される第１スペーサを備えたことである。
【０００６】
請求項２の発明において講じた技術的手段は、ベッド本体の捩じれを防止する横方向部材を有し、横方向部材に取り付けられ横方向部材の中央部が最高となる第２スペーサを備えたことである。
【０００７】
【作用】
請求項１の発明の作用を説明する。伸縮アクチュエータと反対側の保持部材と床との間に配設される第１スペーサを備えたことによって、伸縮アクチュエータと反対側の保持部材同士の幅を小さくすることができるために、ベッド本体の伸縮アクチュエータ側の主脚の浮き分をこれによって補われ、着地を完全に行うことができるようになる。又、伸縮アクチュエータと反対側の保持部材同士の幅を小さくしようとすると、ベッド本体が傾いてしまうが第１スペーサが配設されていることにより、ベッド本体の傾きが防止される。
【０００８】
請求項２の発明の作用を説明する。ベッド本体の捩じれを防止する横方向部材を有し、横方向部材に取り付けられ横方向部材の中央部が最高となる第２スペーサを備えたことによって、ベッド本体は、ベッド本体の左右に形成された主脚、伸縮アクチュエータと反対側の補助脚部に支持された第２スペーサの中央部の３点で支持されていることになるため、３点で支持されていることになる。従って、主脚の着地をより完全に行うことができるようになる。
【０００９】
【実施例】
以下、本発明に係る一実施例を図１〜図４に基づいて説明する。
【００１０】
ベッド本体１０は、長方形の底フレーム１１、同形の床フレーム１２、底フレーム１１と床フレーム１２との間に配設される複数本の支柱１３は主に構成されている。床フレーム１２は長手方向（以下、前後方向）の床側長フレーム１２ａと、これに直交する横方向の床側短フレーム１２ｂとからなり、同様に、底フレーム１１も底側長フレーム１１ａと底側短フレーム１１ｂ（図２）より構成されている。床フレーム１２には、その向かい合う床側長フレーム１２ａが複数本の床バー１４で連結されており、同様に対抗する底側長フレーム１１ａも図示されない底側短フレーム１１ｂとが各交差する四隅に、斜めバー１５が架設され、この斜めバー１５には、それぞれ主脚１６が装着されている。
【００１１】
本実施例のベッドには、ベッドをベッド本体１０ごと昇降する昇降手段が装備されている。この昇降手段は、ベッド本体１０の図１中左側に配設され且つ内部にガススプリングを備えた２つの伸縮アクチュエータ１７、１８と、これら伸縮アクチュエータ１７、１８によって駆動される昇降リンク１９とから構成されている。
【００１２】
昇降リンク１９は、一対の平行要素と、左右各一対の交差する回動要素とからなり、ここでは、一方の平行要素は床フレーム１２であり、他方の平行要素は横断バー２０ａを有した長方形の補助脚部２０である。補助脚部２０には、左右の前方側に一対の第１スペーサ２１が突設されている。回動要素は、保持部材となる左右内側の内側回動片２２と、両外側の外側回動片２３ａ、２３ｂとからなり、内側回動片２２と外側回動片２３ａ、２３ｂとは、視点部材２４を中心に回動する。又、外側回動片２３ａ、２３ｂの厚み方向の撓みを防止するための横方向部材３４が設けられていて、この横方向部材３４には、両端部側に取り付けられた第２スペーサ３５ａ、３５ｂと、少なくともこれら第２スペーサ３５ａ、３５ｂよりも高く且つ横方向部材３４の中央部に位置する第２スペーサ３５ｃとが取り付けられていて、これらの第２スペーサ３５ａ、３５ｂ、３５ｃは、好ましくは弾性体よりなっている。
【００１３】
内側回動片２２の上方側の端部は、両床側長フレーム１２ａ間に架設された前方上側回動バー２５に視点部材２５ａを介して枢支され、両下方側の端部は補助脚部２０に取り付けられた内側レール２６上を転動するローラ２７ａ、２７ｂの回転軸にそれぞれ枢支されている。更に、前方上側回動バー２５は、第２スペーサ３５ａ、３５ｂ、３５ｃと当接して、ベッド本体１０の重量が第２スペーサ３５ａ、３５ｂ、３５ｃ及び外側回動片２３ａ、２３ｂを介して床に支持されて、主脚を構成している。視点部材２５ａは、図４に示すように長穴２５ｂが設けられ、この長穴２５ｂは床側長フレーム１２ａに設けられたピン１２ｃに緩挿されて、更にビス２５ｃによってピン１２が長穴２５ｂから抜け落ちないようになっている。
【００１４】
外側回動片２３ａ、２３ｂの各上方側の端部は、床側長フレーム１２ａに取り付けられた両外側レール２８上を転動するローラ２９に、後方上側回動バー３０を介して枢支されている。外側回動片２３ａ、２３ｂの各下方側の端部は、補助脚部２０に取り付けられた視点部材３１ａに支持され、この視点部材３１ａより更に延在して突出端部３１が形成されている。この突出端部３１には、それぞれ支軸回転自在キャスタ３２が取り付けられている。
【００１５】
伸縮アクチュエータ１７、１８は、基端が床側短フレーム１２ｂに回動自在に支持され、先端がローラ２７ａ、２７ｂに視点部材３３を介して枢支されている。尚、伸縮アクチュエータ１７、１８は、例えばフリーピストンをもつガススプリングを用いる。但し、ロック付きを使用しても差し支えはない。
【００１６】
又、補助脚部２０の図１中右方には支軸固定のキャスタ３６が取り付けられている。
【００１７】
又、床バー１４と補助脚部２０との間には、伸縮アクチュエータ１７、１８の始動時に伸縮作用を助力するスプリング３７が介挿されている。
【００１８】
次に、本実施例の作動について説明する。先ず、通常使用の状態にあるとき、ベッド本体１０は、図１に示すように下限位置にある。この時、伸縮アクチュエータ１７、１８は、ベッド本体１０の重量で伸縮されている。
【００１９】
ベッド本体１０を上昇させる場合は、ベッド本体１０の図１中右側を少し手で持ち上げる。これによって、伸縮アクチュエータ１７、１８は、外力が減じられるために、伸長を開始する。伸長が開始されると、スプリング３６は、その弾性力で更に伸縮アクチュエータ１７、１８の外力を減じ、その伸長力を増加させる。よって、各ローラ２７ａ、２７ｂ、２９がレール２８、２６を転動されつつ、昇降リンク１９の各回動片２２、２３ａ、２３ｂは、図３に示すように床フレーム１２及び補助脚部２０との成す角度を拡げ、ベッド本体１０を伸縮アクチュエータ１７、１８とスプリング３６によって決まる高さ位置まで上昇させる。この場合、ロック付きガススプリングを用いれば任意の高さを選択することができる。
【００２０】
尚、ベッド本体１０を定位置に戻す場合は、ベッド本体１０を押圧すればよい。
【００２１】
又、本実施例では、第１スペーサ２１を備えたことによって、図１中右側の内側回動片２２と外側回動片２３ｂとの間の隙間を少なくできるために、主脚１６の着地を完全に行われる。又、第１スペーサ２１によって図１中左側の内側回動片側２２と外側回動片２３ｂとの隙間を小さくしようとするとベッド本体１０が傾いてしまうが、第１スペーサ２１よってベッド本体１０の傾きが防止されている。更に、横方向部材３４に取り付けられた第２スペーサ３５ａ、３５ｂ、３５ｃを備えたことによって、ベッド本体１０は、ベッド本体１０に形成された主脚１６、第２スペーサの中央部３５ｃの３点で支持されていることになるため、３点で支持されていることになる。従って、主脚の着地をより完全に行うことができる。
【００２２】
【発明の効果】
請求項１の発明の効果を説明する。伸縮アクチュエータと反対側の保持部材と床との間に配設される第１スペーサを備えたことによって、伸縮アクチュエータと反対側の保持部材同士の幅を小さくすることができるために、ベッド本体の伸縮アクチュエータ側の主脚の浮き分をこれによって補われ、着地を完全に行うことができるようになる。又、伸縮アクチュエータと反対側の保持部材同士の幅を小さくしようとすると、ベッド本体が傾いてしまうが第１スペーサが配設されていることにより、ベッド本体の傾きが防止できる。
【００２３】
請求項２の発明の効果を説明する。ベッド本体の捩じれを防止する横方向部材を有し、横方向部材に取り付けられ横方向部材の中央部が最高となる第２スペーサを備えたことによって、ベッド本体は、ベッド本体の左右に形成された主脚、伸縮アクチュエータと反対側の補助脚部に支持された第２スペーサの中央部の３点で支持されていることになるため、３点で支持されていることになる。従って、主脚の着地をより完全に行うことができる。
【図面の簡単な説明】
【図１】図２のＡ−Ａ断面の矢示図を示す。
【図２】ベッド本体の上方視図を示す。
【図３】ベッド本体が上位置にあるときの断面図を示す。
【図４】視点部材の拡大図を示す。
【図５】従来のベッドの断面図を示す。
【符号の説明】
１０・・・ベッド本体
１１・・・底フレーム
１２・・・床フレーム
１７・・・伸縮アクチュエータ
１８・・・伸縮アクチュエータ
１９・・・昇降リンク
２０・・・補助脚部
２１・・・第１スペーサ
２２・・・内側回動片
２３ａ・・・外側回動片
２３ｂ・・・外側回動片
３５ａ・・・第２スペーサ（端部側）
３５ｂ・・・第２スペーサ（端部側）
３５ｃ・・・第２スペーサ（中央部）
【図１】
0003575031.tif 000002
【図２】
0003575031.tif 000003
【図３】
0003575031.tif 000004
【図４】
0003575031.tif 000005
【図５】
0003575031.tif 000006